(57)【要約】【課題】携帯用端末のマルチメディアコンテンツの管理装置及び方法を提供する。【解決手段】各種マルチメディアコンテンツ及びストーリボードを保存するメモリ部と、ストーリボードのフレームに写真または動画をフレームのサイズに合わせて調整して挿入する画面マッピング部と、ストーリボードのフレームに吹き出しを挿入する吹き出し挿入部と、生成するストーリボードのタイプが選択され、選択されたストーリボードのフレームに画面マッピング部及び吹き出し挿入部を利用して写真、動画または吹き出しを挿入するように制御するストーリボード生成部と、を備える。【選択図】図２
2008084320.tif 000002
【特許請求の範囲】
【請求項１】
携帯用端末のマルチメディアコンテンツの管理装置であって、
各種マルチメディアコンテンツ及びストーリボードを保存するメモリ部と、
前記ストーリボードのフレームに写真または動画をフレームのサイズに合わせて調整して挿入する画面マッピング部と、
前記ストーリボードのフレームに吹き出しを挿入する吹き出し挿入部と、
生成する前記ストーリボードのタイプが選択され、選択された前記ストーリボードのフレームに前記画面マッピング部及び前記吹き出し挿入部を利用して前記写真、前記動画または前記吹き出しを挿入するように制御するストーリボード生成部と、を備えることを特徴とする携帯用端末のマルチメディアコンテンツの管理装置。
【請求項２】
前記ストーリボードの実行時に、実行するＢＧＭが選択されて挿入されるＢＧＭ挿入部をさらに備え、
前記ストーリボード生成部は、前記ストーリボードの生成時に前記ＢＧＭの挿入が要請されれば、前記ＢＧＭ挿入部を通じて前記ＢＧＭを挿入するように制御することを特徴とする請求項１に記載の携帯用端末のマルチメディアコンテンツの管理装置。
【請求項３】
前記ストーリボード生成部は、前記ストーリボードの生成時に前記ストローボードに挿入するマルチメディアコンテンツを含む一つのファイルとして生成することを特徴とする請求項２に記載の携帯用端末のマルチメディアコンテンツの管理装置。
【請求項４】
前記画面マッピング部は、挿入する前記写真が選択されれば、前記写真で前記フレームに挿入する領域が選択されて前記フレームに挿入されることを特徴とする請求項１に記載の携帯用端末のマルチメディアコンテンツの管理装置。
【請求項５】
前記吹き出し挿入部は、前記吹き出しを挿入するとき、前記吹き出しの形及び位置が選択され、前記吹き出しに内容が入力されて挿入されることを特徴とする請求項１に記載の携帯用端末のマルチメディアコンテンツの管理装置。
【請求項６】
前記吹き出し挿入部は、前記吹き出しを挿入するとき、前記吹き出しにメッセージとの連結を要請されれば、連結するメッセージが選択されて連結されることを特徴とする請求項５に記載の携帯用端末のマルチメディアコンテンツの管理装置。
【請求項７】
前記吹き出し挿入部は、前記吹き出しの内容には前記メッセージの一部の内容を入力することを特徴とする請求項６に記載の携帯用端末のマルチメディアコンテンツの管理装置。
【請求項８】
携帯用端末のマルチメディアコンテンツの管理方法であって、
ストーリボードの生成を要請されれば、生成する前記ストーリボードのタイプが選択される過程と、
前記ストーリボードでコンテンツを入力するフレームが選択される過程と、
前記選択されたフレームに写真、吹き出し、動画のコンテンツを入力する過程と、を含むことを特徴とする携帯用端末のマルチメディアコンテンツの管理方法。
【請求項９】
前記ストーリボードに挿入するＢＧＭが選択される過程と、
前記選択されたＢＧＭを前記ストーリボードに挿入する過程と、をさらに含むことを特徴とする請求項８に記載の携帯用端末のマルチメディアコンテンツの管理方法。
【請求項１０】
前記ストーリボードを生成するとき、前記ストローボードに挿入するマルチメディアコンテンツを含む一つのファイルとして生成する過程をさらに含むことを特徴とする請求項９に記載の携帯用端末のマルチメディアコンテンツの管理方法。
【請求項１１】
前記選択されたフレームに前記写真コンテンツを入力する過程は、
挿入する前記写真が選択される過程と、
前記写真で前記フレームに挿入する領域が選択される過程と、
前記写真で選択された領域を前記フレームに挿入する過程と、をさらに含むことを特徴とする請求項８に記載の携帯用端末のマルチメディアコンテンツの管理方法。
【請求項１２】
前記選択されたフレームに前記写真コンテンツを入力する過程は、
挿入する前記写真が選択される過程と、
前記写真を既設定方法によって拡大または縮小して前記フレームに挿入する過程と、をさらに含むことを特徴とする請求項８に記載の携帯用端末のマルチメディアコンテンツの管理方法。
【請求項１３】
挿入する前記写真が選択される過程は、
前記挿入する写真が、保存された写真から選択されるか、または挿入のために撮影した写真が選択されることを特徴とする請求項１１に記載の携帯用端末のマルチメディアコンテンツの管理方法。
【請求項１４】
挿入する前記写真が選択される過程は、
前記挿入する写真が、保存された写真から選択されるか、または挿入のために撮影した写真が選択されることを特徴とする請求項１２に記載の携帯用端末のマルチメディアコンテンツの管理方法。
【請求項１５】
前記選択されたフレームに前記動画コンテンツを入力する過程は、
挿入する前記動画が選択される過程と、
前記動画を前記フレームのサイズに合わせて拡大または縮小して前記フレームに挿入する過程と、をさらに含むことを特徴とする請求項８に記載の携帯用端末のマルチメディアコンテンツの管理方法。
【請求項１６】
挿入する前記動画が選択される過程は、
前記挿入する動画が、保存された動画から選択されるか、または挿入のために撮影した動画が選択されることを特徴とする請求項１５に記載の携帯用端末のマルチメディアコンテンツの管理方法。
【請求項１７】
前記選択されたフレームに前記吹き出しコンテンツを入力する過程は、
前記吹き出しの形及び位置が選択される過程と、
前記吹き出しに内容が入力される過程と、
前記内容を有する吹き出しを前記ストーリボードに挿入する過程と、をさらに含むことを特徴とする請求項８に記載の携帯用端末のマルチメディアコンテンツの管理方法。
【請求項１８】
前記吹き出しの形及び位置が選択される過程の後に、
前記吹き出しにメッセージとの連結を要請されれば、連結するメッセージが選択される過程と、
前記メッセージを前記吹き出しにリンクとして連結する過程と、をさらに含むことを特徴とする請求項１７に記載の携帯用端末のマルチメディアコンテンツの管理方法。
【請求項１９】
前記メッセージを前記吹き出しにリンクとして連結する過程の後に、
前記吹き出しに前記内容が入力されていなければ、前記メッセージの一部の内容を前記吹き出しに入力する過程をさらに含むことを特徴とする請求項１８に記載の携帯用端末のマルチメディアコンテンツの管理方法。
【請求項２０】
前記ストーリボードに挿入する前記ＢＧＭが選択される過程の後に、
前記ＢＧＭの再生領域及び再生回数が決定される過程をさらに含むことを特徴とする請求項９に記載の携帯用端末のマルチメディアコンテンツの管理方法。
【請求項２１】
前記ストーリボードの実行を要請されれば、実行する前記ストーリボードが選択される過程と、
前記ストーリボードの一部を出力する過程と、
スクロール入力によって前記ストーリボードをスクロールして出力する過程と、をさらに含むことを特徴とする請求項８に記載の携帯用端末のマルチメディアコンテンツの管理方法。
【請求項２２】
前記ストーリボードをスクロールして出力する過程は、
出力方式が既設定である場合、前記ストーリボードを既設定によって自動的にスクロールして出力することを特徴とする請求項２１に記載の携帯用端末のマルチメディアコンテンツの管理方法。
【請求項２３】
前記ストーリボードの実行時に、連結されたメッセージを有する前記吹き出しの選択を感知すれば、連結された前記メッセージをポップアップとして出力する過程をさらに含むことを特徴とする請求項２１に記載の携帯用端末のマルチメディアコンテンツの管理方法。
【請求項２４】
前記ストーリボードの実行時に、前記動画を有する前記フレームの選択を感知すれば、前記動画を実行する過程をさらに含むことを特徴とする請求項２１に記載の携帯用端末のマルチメディアコンテンツの管理方法。
【請求項２５】
前記動画を実行する過程は、
前記動画をポップアップとして出力して実行することを特徴とする請求項２４に記載の携帯用端末のマルチメディアコンテンツの管理方法。
【発明の詳細な説明】
【技術分野】
【０００１】
本発明は、携帯用端末のマルチメディアコンテンツの管理装置及び方法に係り、さらに詳細には、マルチメディアコンテンツを漫画（Cartoon）タイプのストーリボードに再編集して管理する装置及び方法に関する。
【背景技術】
【０００２】
最近、移動通信端末または個人用の携帯情報端末（Personal Digital Assistant：以下、ＰＤＡ）などの携帯用端末が多く使用されているが、このような携帯用端末は、単なる電話機能や日程管理などの目的だけでなく、内蔵のデジタルカメラによる写真または動画の撮影、衛星放送の視聴、文書の編集、ゲーム、ナビゲーション、ミュージック・プレーヤー、テキスト・メッセージの送受信及び撮影した写真や動画を添付したマルチメディア・メッセージの送受信など、その活用範囲がますます広がっている。このように、携帯用端末は、多様な機能を有し、かつ多様な形のメディアを製作する道具として使用されている。
【０００３】
このように、携帯用端末で生産して保存するマルチメディアコンテンツとしては、テキスト・メッセージ、マルチメディア・メッセージ、動画、写真などがあり、その種類はますます増えている。しかし、このようなコンテンツの管理において、単に各コンテンツ別にタイトルまたは生成時間による整列方式で管理し、ユーザーの意図によって多様な種類のコンテンツを一つのコンテンツに再編集することはできなかった。
【０００４】
したがって、刻々と変化するユーザーのニーズに対応するために、携帯用端末において多様な種類のコンテンツを一つのコンテンツに再編集して管理する装置及び方法が要求されている。
【発明の開示】
【発明が解決しようとする課題】
【０００５】
本発明は、前記問題点を解決するためになされたものであって、携帯用端末のマルチメディアコンテンツの管理装置及び方法を提供することをその目的とする。
【０００６】
本発明の他の目的は、携帯用端末においてマルチメディアコンテンツを漫画タイプのストーリボードに再編集する装置及び方法を提供するところにある。
【０００７】
本発明のさらに他の目的は、携帯用端末においてコンテンツを再編集して生成したストーリボードを実行する装置及び方法を提供するところにある。
【課題を解決するための手段】
【０００８】
前記目的を達成すべき、本発明の第１態様によると、携帯用端末のマルチメディアコンテンツの管理装置は、各種マルチメディアコンテンツ及びストーリボードを保存するメモリ部と、前記ストーリボードのフレームに写真または動画をフレームのサイズに合わせて調整して挿入する画面マッピング部と、前記ストーリボードのフレームに吹き出し（ｓｐｅｅｃｈ  ｂａｌｌｏｏｎ）を挿入する吹き出し挿入部と、生成する前記ストーリボードのタイプが選択され、選択された前記ストーリボードのフレームに前記画面マッピング部及び前記吹き出し挿入部を利用して前記写真、動画または吹き出しを挿入するように制御するストーリボード生成部と、を備えることを特徴とする。
【０００９】
また、前記目的を達成するため、本発明の第２態様によると、携帯用端末のマルチメディアコンテンツの管理方法は、ストーリボードの生成を要請されれば、生成する前記ストーリボードのタイプが選択される過程と、前記ストーリボードでコンテンツを入力するフレームが選択される過程と、前記選択されたフレームに写真、吹き出し及び動画のコンテンツを入力する過程と、を含むことを特徴とする。
【発明の効果】
【００１０】
本発明は、携帯用端末においてマルチメディアコンテンツを漫画タイプのストーリボードに再編集して管理する装置及び方法に係り、ユーザーのニーズに対応して複数のマルチメディアコンテンツを一つのファイルとして管理することができる。
【発明を実施するための最良の形態】
【００１１】
以下、添付した図面を参照して本発明の好ましい実施形態を詳しく説明する。また、本発明の要旨を逸脱しうると判断される場合には、その詳細な説明を省略する。
【００１２】
図１は、本発明の好ましい一実施形態に係るコンテンツを利用してストーリボードを生成して管理する携帯用端末の構成を示す図面である。図１に示すように、本発明の携帯用端末は、制御部１００、カメラ部１０２、表示部１０４、メモリ部１０６、通信部１０８、入力部１１０、吹き出し挿入部１１２、画面マッピング部１１４、背景音楽（Ｂａｃｋ−Ｇｒｏｕｎｄ  Ｍｕｓｉｃ：以下、ＢＧＭ）挿入部１１６、ストーリボード生成部１１８及びストーリボード実行部１２０を備える。
【００１３】
前記カメラ部１０２は、前記制御部１００の制御によってＣＣＤ（Charge Coupled Device）上に入射された光位相を光電変換して写真または動画フレームを撮影する。
【００１４】
前記表示部１０４は、前記端末の動作中に発生する状態情報（またはインジケータ）、制限された数字及び文字、動画及び静止画などのコンテンツをディスプレイし、前記制御部１００の制御によってストーリボードを出力する。前記表示部１０４としては、カラー液晶ディスプレイ装置（Liquid Crystal Display:LCD）を使用することができる。
【００１５】
前記メモリ部１０６は、携帯用端末の全般的な動作を制御するためのプログラムや動作中に発生するデータを一時保存し、多様な種類のコンテンツ（テキスト・メッセージ、マルチメディア・メッセージ、写真、動画データなど）を保存する。また、本発明によってストーリボードを保存する。
【００１６】
前記通信部１０８は、受信時には、アンテナを介して受信される無線周波数信号を周波数下降させて受信信号を逆拡散（despreading）及びチャンネル復号（channel decoding）する機能を行い、送信時には、データをチャンネルコーディング（channel coding）及び拡散（spreading）して周波数上昇させて、アンテナを介して送信する。また、本発明によってマルチメディア・メッセージなどを通じて、ストーリボードを添付して送受信することができる。
【００１７】
前記入力部１１０は、複数のキーまたはタッチスクリーンなどを備え、ユーザーからのキーワード、ストーリボード・スクロール、連結情報確認のための入力などを感知して前記制御部１００に提供する。
【００１８】
前記吹き出し挿入部１１２は、前記ストーリボード生成部１１８の制御によってストーリボードのフレームに吹き出しを挿入する。前記吹き出し挿入部１１２で前記吹き出しを挿入する方法については、図７を参照して後述する。
【００１９】
前記画面マッピング部１１４は、前記ストーリボード生成部１１８の制御によって、ストーリボードのフレームに写真または動画をフレームのサイズに合わせて調整して挿入する。前記画面マッピング部１１４でフレームに写真または動画を挿入する方法については、図４及び図６を参照して後述する。
【００２０】
前記ＢＧＭ挿入部１１６は、前記ストーリボード生成部１１８の制御によって、ストーリボードが実行されるときに実行するＢＧＭを選択して挿入する。前記ＢＧＭ挿入部１１６でストーリボードにＢＧＭを挿入する方法については、図８を参照して後述する。
【００２１】
前記ストーリボード生成部１１８は、生成するストーリボードのタイプが選択され、選択されたストーリボードのタイプに、前記吹き出し挿入部１１２、前記画面マッピング部１１４及び前記ＢＧＭ挿入部１１６を利用して複数のコンテンツを挿入してコンテンツを含むストーリボードを生成する。
【００２２】
前記ストーリボード実行部１２０は、前記ストーリボード生成部１１８によって生成するか、またはメモリ部１０６に保存されたストーリボードを前記表示部１０４に出力することにより実行する。前記ストーリボード実行部１２０でストーリボードを実行する方法については、図９を参照して後述する。
【００２３】
前記制御部１００は、前記吹き出し挿入部１１２、前記画面マッピング部１１４、前記ＢＧＭ挿入部１１６、前記ストーリボード生成部１１８及び前記ストーリボード実行部１２０を制御する。すなわち、前記制御部１００は、前記吹き出し挿入部１１２、前記画面マッピング部１１４、前記ＢＧＭ挿入部１１６、前記ストーリボード生成部１１８及び前記ストーリボード実行部１２０の機能を行うことができる。本発明では、各機能を区別して説明するために、これらを別々に構成して示す。したがって、実際に製品を具現する場合には、これらを全て前記制御部１００で処理するように構成してもよく、これらのうち一部のみを前記制御部１００で処理するように構成してもよい。
【００２４】
以下、図面を参照して、前記のように構成された本発明に係る携帯用端末のマルチメディアコンテンツの管理方法を説明する。
【００２５】
図２は、本発明の好ましい一実施形態に係る携帯用端末でストーリボードを生成する過程を示すフローチャートである。図２に示すように、本発明の携帯用端末は、ストーリボードのタイプをリストとして出力する（ステップ２００）。図３に示すように、出力する前記ストーリボードのタイプは多様である。図３は、本発明の好ましい一実施形態に係る携帯用端末において、生成するストーリボードのタイプを示す図面である。図３には（ａ）、（ｂ）、（ｃ）の三つのストーリボードのタイプが示されている。ストーリボードのタイプは、サイズ及び形の異なるフレームの組み合わせからなり、その組み合わせ方法によって多様になりうる。
【００２６】
その後、前記携帯用端末は、前記ストーリボードのタイプのリストで生成するストーリボードのタイプがユーザーによって選択され（ステップ２０２）、コンテンツを入力するフレームが選択され（ステップ２０４）、選択されたフレームに写真、キーワード、動画などのコンテンツを入力して（ステップ２０６）、ストーリボードの作成を完了したか否かを確認する（ステップ２０８）。確認結果、前記ストーリボードの作成を完了していない場合には、完了するまでステップ２０４とステップ２０６とを繰り返す。
【００２７】
前記ステップ２０８で確認した結果、前記ストーリボードの作成が完了したならば、ステップ２１０に進み、複数のコンテンツを含む前記ストーリボードを一つのファイルとして生成する。
【００２８】
図４は、本発明の好ましい一実施形態に係る携帯用端末でストーリボードのフレームに写真を挿入する過程を示すフローチャートである。図４に示すように、携帯用端末の画面マッピング部１１４は、写真入力要請の発生を感知すれば（ステップ４００）、入力する写真が選択される（ステップ４０２）。前記入力する写真は、メモリ部１０６に保存された写真から選択されるか、または前記カメラ部１０２を通じて撮影した写真が選択されることができる。
【００２９】
前記ステップ４０２で選択された写真を入力する方法が既設定のマッピング方法であるか否かを確認する。確認結果、既設定のマッピング方法で自動的にマッピングする場合には、既設定のままで自動的に前記選択された写真を前記フレームに挿入する（ステップ４１０）。
【００３０】
前記既設定のマッピング方法としては、フレームのサイズに合わせて自動的に選択された写真のサイズを前記フレームのサイズと同じサイズに調整して挿入するか、または前記選択された写真が前記フレームのサイズより大きい場合、サイズを調整せずに前記選択した写真の中央部分で前記フレームのサイズ分を前記フレームに挿入するか、また、前記選択された写真が人物写真である場合、顔認識手法を利用して顔を認識し、顔からの上下左右の一定空間を拡大または縮小して、前記フレームのサイズと同じサイズに調整して挿入する方法などがある。
【００３１】
一方、ステップ４０２の確認結果、既設定のマッピング方法で自動的にマッピングしない場合、前記画面マッピング部１１４は、前記選択された写真で前記フレームのサイズに合う領域が下記図５と同じ方法によって選択され（ステップ４０６）、前記写真の前記選択された領域を前記フレームに挿入する（ステップ４０８）。
【００３２】
図５は、本発明の好ましい一実施形態に係る携帯用端末において、ストーリボードのフレームに挿入する写真領域の選択を示す図面である。図５に示すように、挿入する写真５００でフレームのサイズに合う領域を選択する方法は、フレームとその形が等しいフレーム枠５１０を前記挿入する写真５００上に出力し、前記フレーム枠５１０のサイズを拡大または縮小して位置を上下左右に動かして、前記フレームに挿入する領域を選択する方法である。
【００３３】
図６は、本発明の好ましい一実施形態に係る携帯用端末において、ストーリボードのフレームに動画を挿入する過程を示すフローチャートである。図６に示すように、携帯用端末の画面マッピング部１１４は、動画入力要請の発生を感知すれば（ステップ６００）、入力する動画が選択される（ステップ６０２）。前記入力する動画の選択は、メモリ部１０６に保存された動画から選択されるか、または前記カメラ部１０２を通じて撮影した動画が選択されることができる。
【００３４】
その後、前記画面マッピング部１１４は、選択された動画のサイズを拡大または縮小して前記フレームのサイズに合わせて調整し（ステップ６０４）、前記調整した動画を前記フレームに挿入する（ステップ６０６）。
【００３５】
図７は、本発明の好ましい一実施形態に係る携帯用端末において、ストーリボードのフレームに吹き出しを挿入する過程を示すフローチャートである。図７に示すように、携帯用端末の吹き出し挿入部１１２は、吹き出し入力要請の発生を感知すれば（ステップ７００）、入力する吹き出しの形及び位置が選択され（ステップ７０２）、前記吹き出しにメッセージを連結するか否かを確認する（ステップ７０４）。確認結果、メッセージを連結しなければ、前記吹き出し挿入部１１２は、前記吹き出しに入力する内容が入力される（ステップ７１０）。
【００３６】
前記ステップ７０４の確認結果、前記吹き出しにメッセージの連結を要請されれば、前記吹き出し挿入部１１２は、前記メモリ部１０６に保存された送信または受信テキスト・メッセージまたはマルチメディア・メッセージのうち連結するメッセージを選択し（ステップ７０６）、選択されたメッセージを前記吹き出しに連結して（ステップ７０８）、前記吹き出しの内容が入力される（ステップ７１０）。前記ステップ７１０で前記吹き出しに連結するメッセージが存在する場合、吹き出しの内容が入力されていなければ、前記連結するメッセージの前から一定部分までの内容を前記吹き出しに入力する。
【００３７】
図８は、本発明の好ましい一実施形態に係る携帯用端末において、ストーリボードにＢＧＭを挿入する過程を示すフローチャートである。図８に示すように、携帯用端末のＢＧＭ挿入部１１６は、ＢＧＭ挿入要請の発生を感知すれば（ステップ８００）、挿入可能な音楽ファイルのリストを出力し（ステップ８０２）、前記音楽ファイルリストでＢＧＭとして再生する音楽ファイルが選択され（ステップ８０４）、前記選択された音楽ファイルでストーリボードの実行時に再生する部分及び再生の繰り返し回数などを決定して（ステップ８０６）、前記ストーリボードに挿入する（ステップ８０８）。
【００３８】
図９は、本発明の好ましい一実施形態に係る携帯用端末においてストーリボードを実行する過程を示すフローチャートである。図９に示すように、携帯用端末のストーリボード実行部１２０は、実行するストーリボードが選択されれば（ステップ９００）、前記選択されたストーリボードにＢＧＭが存在するか否かを確認し（ステップ９０２）、確認結果、ＢＧＭが存在すれば、前記ストーリボード実行部１２０は前記ＢＧＭを再生し（ステップ９０４）、確認結果、ＢＧＭが存在しなければ、前記ストーリボード実行部１２０は、前記ストーリボードの出力方式が既設定であるか否かを確認する（ステップ９０６）。確認結果、前記出力方式が既設定でなければ、前記ストーリボード実行部１２０は、既設定の出力サイズ及びスクロール速度によって前記ストーリボードの一部を前記表示部１０４に出力してスクロールする（ステップ９０８）。
【００３９】
もし、前記ステップ９０６で確認した結果、前記出力方式が既設定でなければ、前記ストーリボード実行部１２０は、ユーザーの入力によって前記ストーリボードをスクロールする（ステップ９１０）。
【００４０】
その後、前記ストーリボード実行部１２０は、リンクを含んだ吹き出しの選択を感知すれば（ステップ９１２）、リンクに連結されたメッセージをポップアップとして出力する（ステップ９１４）。
【００４１】
その後、前記ストーリボード実行部１２０は、動画を含んだフレームの選択を感知すれば（ステップ９１６）、挿入された動画を再生する（ステップ９１８）。
【００４２】
図１０は、本発明の好ましい一実施形態に係る携帯用端末において出力するストーリボードを示す図面である。図１０に示すように、ストーリボードは、複数のフレームから構成し、各フレームには写真、吹き出しまたは動画が挿入されることができる。吹き出しには、連結されたメッセージ１０１２を有する吹き出し１０１０と、連結されたメッセージを有していない吹き出し１０２０ないし１０２６とに区別する。
【００４３】
前記連結されたメッセージ１０１２を有する吹き出し１０１０の場合、背景に陰影、色またはメッセージ・アイコンを表記することにより、連結されたメッセージ１０１２が存在するということを知らせ、それが選択されれば、前記連結されたメッセージ１０１２をポップアップとして出力する。
【００４４】
動画を含むフレーム１０３０は、動画を含むということを知らせるために、フレームの枠を厚く出力するか、異なる色として出力するか、または動画フレームであるということを知らせるアイコンを追加的に出力して表示する。前記動画を含むフレーム１０３０が選択されれば、前記フレーム内で動画を再生するか、または動画ポップアップ・ボックス１０３２として動画を再生することができる。
【００４５】
また、本発明の例示的な実施形態は、コンピュータで読み取り可能な記録媒体上のコンピュータで読み取り可能なコードを含むことができる。コンピュータで読み取り可能な記録媒体は、コンピューターシステムによって読み取り可能なデータを記録する、あるデータ記録手段を含むことができる。コンピュータで読み取り可能な記録媒体の例としては、磁気記録メディア（ＲＯＭ、フロッピー（登録商標）ディスク、ハードディスクなど）、光学記録メディア（ＣＤ−ＲＯＭまたはＤＶＤなど）及びキャリアウェーブ（例えば、インターネットを介した伝送）のような記録媒体などがある。また、コンピュータで読み取り可能な記録媒体は、コンピューターシステムに接続されているネットワークを介して配布され、配布方式を通じて保存かつ実行されることができる。また、本発明の例示的な実施形態を実行する機能プログラム、コード及びコードセグメントは、当業者が理解することができる。
【００４６】
確かに、特許請求の範囲内でありつつ、このような実施形態を変形できる多様な方式がある。言い換えれば、特許請求の範囲を逸脱せずに本発明を実施できる多様な方式があり得る。
【図面の簡単な説明】
【００４７】
【図１】本発明の好ましい一実施形態に係るコンテンツを利用してストーリボードを生成して管理する携帯用端末の構成を示す図面である。
【図２】本発明の好ましい一実施形態に係る携帯用端末においてストーリボードを生成する過程を示すフローチャートである。
【図３】本発明の好ましい一実施形態に係る携帯用端末において生成するストーリボードのタイプを示す図面である。
【図４】本発明の好ましい一実施形態に係る携帯用端末においてストーリボードのフレームに写真を挿入する過程を示すフローチャートである。
【図５】本発明の好ましい一実施形態に係る携帯用端末においてストーリボードのフレームに挿入する写真領域の選択を示す図面である。
【図６】本発明の好ましい一実施形態に係る携帯用端末においてストーリボードのフレームに動画を挿入する過程を示すフローチャートである。
【図７】本発明の好ましい一実施形態に係る携帯用端末においてストーリボードのフレームに吹き出しを挿入する過程を示すフローチャートである。
【図８】本発明の好ましい一実施形態に係る携帯用端末においてストーリボードにＢＧＭを挿入する過程を示すフローチャートである。
【図９】本発明の好ましい一実施形態に係る携帯用端末においてストーリボードを行う過程を示すフローチャートである。
【図１０】本発明の好ましい一実施形態に係る携帯用端末から出力するストーリボードを示す図である。
【符号の説明】
【００４８】
１００  制御部
１０２  カメラ部
１０４  表示部
１０６  メモリ部
１０８  通信部
１１０  入力部
１１２  吹き出し挿入部
１１４  画面マッピング部
１１６  背景音楽（ＢＧＭ）挿入部
１１８  ストーリボード生成部
１２０  ストーリボード実行部
【図１】
2008084320.tif 000003
【図２】
2008084320.tif 000004
【図３】
2008084320.tif 000005
【図４】
2008084320.tif 000006
【図６】
2008084320.tif 000007
【図７】
2008084320.tif 000008
【図８】
2008084320.tif 000009
【図９】
2008084320.tif 000010
【図５】
2008084320.tif 000011
【図１０】
2008084320.tif 000012